(57)【要約】  【課題】  排水機能を無段にして水タンクの構造を簡素化し、水を節減し、更に微生物の繁殖を可及的に低減する。  【解決手段】  トイレット・ボウルの水タンク出水制御器１であって、底端に排水管を有してフラッシュ／トリップ管１２と連設する。底部に漏斗形体３１の水タンク２０を有する。及び排水口３３を閉鎖する球体３２、及び排水する時、球体３２を排水口３３から脱離させる脱離設備７０を含む。そして、上記素子の組合せを介して、水タンク２０の構造制限及び微生物の繁殖を減少できて、並びに水の節約及び水タンク２０の体積縮減の効果に到達する。【選択図】図１
0003139085.tif 000002
【実用新案登録請求の範囲】
【請求項１】
水フラッシュ／トリップ管と連設し、
底端ヒフラッシュ／トリップ管と連接する排水口を具えた底部に有する漏斗形体の水タンク、及び該水タンク中に設けて予定比重を有し、排水口の閉鎖ができる球体及び排水するときにあたって、該球体を排水口から脱離できる脱離設備とを含むことを特徴とするトイレット・ボウルの水タンク出水制御器。
【請求項２】
上記球体が水より小さい比重の材質で作成され、それが完全に水中にひたした時、水の浮力を介して排水口から脱離できることを特徴とする請求項１記載のトイレット・ボウルの水タンク出水制御器。
【請求項３】
上記球体下方が予定かつ半分より小さい体積の凸出排水口を有する時、それが水中に受ける浮力ｂ１はその重量ｗより小さいことを特徴とする請求項１記載のトイレット・ボウルの水タンク出水制御器。
【請求項４】
上記脱離設備は上カバーに連設し、しかも水タンク上に設けてその中に上カバーの下方に設け、その上端箇所に外ねじを設け、外ねじ下端に定位板を設けた胴形体、及び上部中央に孔を設けて該胴形体を水タンクの上カバーに固設できる頂カバー、及び、該頂カバーの孔から胴形体内に通したＴ型杆、及び胴形体内のＴ型杆外側に設けるスプリング、及びＴ型杆の下方に設けてスプリングを胴形体内に固設した定位素子、及びそれぞれ二端をＴ型杆と球体に連設された一本の線とを含むことを特徴とする請求項１記載のトイレット・ボウルの水タンク出水制御器。
【請求項５】
上記脱離設備は排水口及び水フラッシュ／トリップ管との連設を有する上、下管の三方管、及び上、下管の間に設けた水平管、及び中段に球体を設けてあり、二段が握持端と従動端で、従動端は水平管を通過する操作杆、及び水平管の外に螺嵌し、底部に孔を有することで操作杆の球体外に設けたカバー体、及び球体及びカバー体の間に設ける一前端に凹弧を有する胴状漏れ防止パッキング、及び上、下管の間に設け、底端に孔を有し操作杆の従動端に嵌合した押し杆、及び予定角度により押し杆の周縁に設け、並びに水を近隣の定位ピース間から流出させる少なくとも三ピースの定位ピース、及び定位ピースと排水口の間に設けたスプリングとを含むことを特徴とする請求項１記載のトイレット・ボウルの水タンク出水制御器。
【考案の詳細な説明】
【技術分野】
【０００１】
本考案はトイレット・ボウルの水タンク出水制御器に係り、特に漏斗形体と球体の設置を介して、水タンク構造の制限及び微生物の繁殖が減少でき、且つ、水の節約及び水タンク体積を縮減する効果が期待できるようにしたトイレット・ボウルの水タンク出水制御器に関するものである。
【背景技術】
【０００２】
用便の後で水で汚物をフラッシュ／トリップすることで器具の清潔を保持しているのは、現代の生活中において極めて重要な課題にある。そのうち、予定水量の貯蔵は比較的大きい水流でもって汚物をフラッシュ／トリップの水タンクがキーポイントの役割となす。使い慣れている水タンクに複雑なバルブ、フロート・ボウル、ガイド・パイプ、伝動機構等の各ユニットを介して、自動貯水及び排水制御ができる。但し、下記いくつかの点の欠陥を有する。
１．これら各ユニットを設置するため、水タンクの排水口をほぼ底部より高くさせたため、排水の時に一定の残留水があるため後に続く補充の水を汚染し、並びに有害の微生物が発生する。トイレット・ボウルのきたない垢が発生する主要原因の一つは微生物にあり、清掃時に時間と労力を費やした。このため、よごれを除去できる化学よごれ除去剤を使用するが、厳しい環境汚染の基となる。
２．従来の水タンクは一回に水を全部排出する。そして、ただ少量の水の使用で足りるのに不必要な水まで流し去る欠陥があり、このため排水を二、三段に分けて水の節約の節減を計ることも考えられるが、構造が複雑となりコスト高となる。
３．水タンク内にこれらの各ユニットを配設するためには大きいスペースを要し、水タンクの体積増大となる。
４．これら各ユニットの寸法、外形、相互間の配設等の制限条件のため、水タンクの構造は大きな制限をされ、使い慣れた矩形の水タンクは大きく、とりつけが容易ではなく、且つ、衛生上及び美観にも影響する。
【０００３】
考案者はこれに鑑け、研究を重ねた結果多年の関連する製品研究に従事する経験に加え、絶えざる試験及び改良を経て遂に本考案を開発するに至った。
【考案の開示】
【考案が解決しようとする課題】
【０００４】
本考案の目的は、微生物の繁殖を減少できるトイレット・ボウルの水タンク出水制御器を提供する。
【０００５】
本考案の他の目的は、無段の排水機能を有し、又、水を可及的に節減できるトイレット・ボウルの水タンク出水制御器を提供する。
【０００６】
更に本考案の他の目的は、構造を簡素化することができて水タンクの体積を縮減するトイレット・ボウルの水タンク出水制御器を提供する。
【０００７】
本考案の更に別の目的は、水タンク構造の制限が減少できて、水タンクの衛生を向上させ、且つ、美観を増加するトイレット・ボウルの水タンク出水制御器を提供する。
【課題を解決するための手段】
【０００８】
本考案は上記目的を達成するために提案されたものであり、請求項１記載の考案は水フラッシュ／トリップ管と連設し、底端ヒフラッシュ／トリップ管と連接する排水口を具えた底部に有する漏斗形体の水タンク、及び該水タンク中に設けて予定比重を有し、排水口の閉鎖ができる球体及び排水するときにあたって、該球体を排水口から脱離できる脱離設備とを含むことを特徴とするトイレット・ボウルの水タンク出水制御器を提供する。
【０００９】
請求項２記載の考案は上記球体が水より小さい比重の材質で作成され、それが完全に水中にひたした時、水の浮力を介して排水口から脱離できることを特徴とする請求項１記載のトイレット・ボウルの水タンク出水制御器を提供する。
【００１０】
請求項３記載の考案は上記球体下方が予定かつ半分より小さい体積の凸出排水口を有する時、それが水中に受ける浮力ｂ１はその重量ｗより小さいことを特徴とする請求項１記載のトイレット・ボウルの水タンク出水制御器を提供する。
【００１１】
請求項４記載の考案は上記脱離設備は上カバーに連設し、しかも水タンク上に設けてその中に上カバーの下方に設け、その上端箇所に外ねじを設け、外ねじ下端に定位板を設けた胴形体、及び上部中央に孔を設けて該胴形体を水タンクの上カバーに固設できる頂カバー、及び、該頂カバーの孔から胴形体内に通したＴ型杆、及び胴形体内のＴ型杆外側に設けるスプリング、及びＴ型杆の下方に設けてスプリングを胴形体内に固設した定位素子、及びそれぞれ二端をＴ型杆と球体に連設された一本の線とを含むことを特徴とする請求項１記載のトイレット・ボウルの水タンク出水制御器を提供する。
【００１２】
請求項５記載の考案は上記脱離設備は排水口及び水フラッシュ／トリップ管との連設を有する上、下管の三方管、及び上、下管の間に設けた水平管、及び中段に球体を設けてあり、二段が握持端と従動端で、従動端は水平管を通過する操作杆、及び水平管の外に螺嵌し、底部に孔を有することで操作杆の球体外に設けたカバー体、及び球体及びカバー体の間に設ける一前端に凹弧を有する胴状漏れ防止パッキング、及び上、下管の間に設け、底端に孔を有し操作杆の従動端に嵌合した押し杆、及び予定角度により押し杆の周縁に設け、並びに水を近隣の定位ピース間から流出させる少なくとも三ピースの定位ピース、及び定位ピースと排水口の間に設けたスプリングとを含むことを特徴とする請求項１記載のトイレット・ボウルの水タンク出水制御器を提供する。
【考案の効果】
【００１３】
本考案は、排水機能を無段にして水タンクの構造を簡素化し、且つ、可及的に水を節約でき、更に、微生物の繁殖を可及的に低減できると共に、水タンクの美観も向上する等の諸種の効果を奏する考案である。
【考案を実施するための最良の形態】
【００１４】
本考案は底端にフラッシュ／トリップ管と連接した底端に排水口を有する。底部に漏斗形体を有した水タンク、及び排水口を閉鎖できる球体、及び排水を要する時、球体を排水口から脱離できる脱離設備を含み、そして前記素子の組合せを介して水タンク構造の制限及び微生物の繁殖が減少でき、更に水節約及び水タンク体積の縮減効果を達成した。
【実施例】
【００１５】
図１〜５に示すように、本考案のトイレット・ボウルの水タンク出水制御器１はフラッシュ／トリップ管１２と連設し、そのうち底端にフラッシュ／トリップ管１２と連設する排水口３３の底部に漏斗形体３１を有する水タンク２０、及び排水口３３を閉鎖できる球体３２、該球体３２は排水する時に、該球体３２を排水口３３から脱離させて排水できるようにする。そして前記素子の組合せを介して水タンク構造の制限及び微生物の繁殖が減少でき、並びに水タンクの体積縮減を計る。
【００１６】
以下、本考案の水タンクを詳述する。
【００１７】
水タンク２０の所定箇所に給水器１４（給水器は周知のものを用いる。）と連接する入水口１３が注入水１５を供給できる。
【００１８】
漏斗形体３１は水タンク２０底部に設けて、一つの部分品となすことができる。又、水タンク２０と一体成形できる。そして、その底端に排水口３３を有することでフラッシュ／トリップ管１２に連接して、排水をトイレット・ボウルに供することができる。（図示せず）
球体３２の外径はほぼ排水口３３より大きく、予定比重を有して水タンク２０中に設けて排水口３３を閉鎖できる。上述の球体３２は比重が水より小さい材質で作成され、それが完全に水中にひたる時、水の浮力を介して排水口３３から脱離できる。
【００１９】
球体３２が気密的に排水口３３の閉鎖を確保するために、排水口３３箇所にシール・リングを設けている。
【００２０】
給水器１４を制御するため、水タンク２０内には給水制御器５０が設けられて、そのうち、水タンク２０に連設し、底端が給水器１４に連設、頂端に制御バルブ５２を設けている給水管５１、及び制御バルブ５２に連設するマイクロ・スイッチ５３及び浮力を介して上下移動可能に給水管５１上に設けて、マイクロ・スイッチ５３を作動できるフロート５４とを含んでいる。そして、水タンク２０内の貯水が予定の水量に達した時、フロート５４が上死点５５まで上に浮いて、マイクロ・スイッチ５３を作動して給水を停止させる。言い換えると、水を排出した時、フロート５４が上死点５５を脱離して給水器１４は給水を開始する。
【００２１】
水タンク２０内には単に球体３２を有しているので、構造が簡素化でき水タンクの小型化も計れ、外形の美観も増加する。
【００２２】
図２に示すように、脱離設備７０は下方から球体３２を制御して排水管の排水制御機構を使用することができる。そのうち、排水口３３及びフラッシュ／トリップ管１２と連設した上、下管７３，７５及び水平管７７を有する三方管、及び中段に球体７４を設けており、両端が握持端７６と従動端７８であり、従動端７８は水平管７７を通過して球体７４を中心にして上、下管７３，７５の間で揺動する操作杆７２、及び水平管７７の外に螺設し、底部に孔８３を有することで操作杆７２の球体７４外に設けたカバー体８１、及び球体７４及びカバー体８１の間に設け、水漏りを防止する前端に凹弧を有する胴状の漏れ防止パッキング、及び移動可能に上、下管７３，７５の間に設けられ、底端に孔８６を有することで操作杆７２の従動端７８に嵌合する押し杆８４、及び予定角度により押し杆８４の周縁に設けることにより押し杆８４の中心定位を維持し、並びに水を定位ピース８５間から流出させる少なくとも三ピースの定位ピース８５、及び定位ピース８５と排水口３３の間に設けて、操作杆７２の回帰に用いるスプリング８７とを含む。そして、握持端７６を下向きに揺動して従動端７８が上向きに揺動した時、押し杆８４を上向きに伝動させて球体３２を排水口３３から脱離する。
【００２３】
図１に示すように、水タンク２０が所定水量までたくわえられた時、球体３２下方に予定かつ半分より小さい体積が排水口３３に突出しており、その受けた浮力ｂ１はその重量ｗより小さい。そのため球体３２は浮き上がらない。
【００２４】
図２〜４に示すように、排水する時、異なる圧力を施すことで握持端７６を揺動して、押し杆８４が球体３２を上向きに排水口３３から押しはなし、この時、球体３２は浮力、重量ｗ及び水が排水口３３から排出のために形成する引張り影響は、球体３２と排水口３３の間隔ｄの制御を介して排水量を決定できる。これは即ち無段制御の排水方式により水節約の効果が期待できる。
【００２５】
図２に示すように、比較的小さい圧力ｐ１を施した時、浮力ｂ２は重量ｗに引張り力ｆ１を加えたものより小さい（ｂ２＜ｗ＋ｆ１）。球体３２は浮かび上がることがない。この時は小量の排水がある。若し、圧力ｐ１を除くと、球体３２は排水口３３を閉鎖して水の排出が停止する。
【００２６】
図３に示すように、比較的大きい圧力ｐ２を施した時、浮力ｂ３は重量ｗに引張り力ｆ２を加えたものより小さい（ｂ３＜ｗ＋ｆ２）。依って、球体３２は浮かび上がることがない。この時が中量排水にある。若し圧力ｐ２を除くと、球体３２は排水口３３を閉鎖して水の流出が停止する。
【００２７】
図４に示すように、最大の圧力なるｐ３を施した時、浮力ｂ４は重量ｗに引張り力ｆ３を加えたものより大きい（ｂ４＞ｗ＋ｆ３）。依って、球体３２ａは浮かび上がる。この時は最大量の排水にある。若し圧力ｐ３を除くと、球体３２がすでに浮かび上がっているため水はもとどおり継続的に排出する。
【００２８】
図５に示すように、排水過程中において、球体３２は水位につれて降下し、このとき、漏斗形体３１の設計のため球体３２は排水口３３に向いてころがる。そして、給水器１４の水の持続注入によるため排水口３３に水の排出がある。これらの水は球体３２に対してひとすじの排水口３３を脱出した引張り力を生成するので、球体３２は排水口３３で塞ぎ水の排出を停止し、水タンクは貯水を開始する。
【００２９】
漏斗形体３１を介して、給水器がいかなる原因（例えば断水）で給水しない時、水を全部排出して残留することなく微生物の繁殖を減少できる。
【００３０】
図６〜７に示すのは本考案の第二実施例であり、そのうち前記脱離設備９０は上カバー２２を連設して水タンク２０上に設け、上方から球体を制御している。
【００３１】
脱離設備９０は上カバー２２の下方に設けて、その上端箇所に外ねじ９２を有し、外ねじ９２の下端に定位板９３を設けた胴形体９１、及び上部中央に孔９５を設けて、胴形体９１を水タンクの上カバーに固設できる頂カバー９４、及び頂カバー９４の孔９５を胴形体９１内に通したＴ形杆９６、及び胴形体９１内のＴ形杆９６外側に設けたスプリング９７、及びＴ形杆９６の下方に設けてスプリングを胴形体９１内に固設できる定位素子９８、及び両端をそれぞれＴ形杆９６と球体３２に設けた一条の線９９とを含む。
【００３２】
図７に示すように、Ｔ形杆９６を引き上げた時、球体３２を排水口３３から脱離し、スプリング９７が押圧力を受け、該Ｔ形杆９６が引き上げられたとき球体３２は直ちに水に入って浮かび上がる。図４に示すように、引張り力を除いたときに、スプリング９７の弾力を介してＴ形杆９６を元の位置に復帰させ、球体３２を落下させて排水口３３を閉鎖する。
【００３３】
制御を介してのＴ形杆９６の引き上げ力の大小はすでに上述の脱離設備７０と同じ小、中、大量の各排水ができる。
【００３４】
尚、本考案は、本考案の精神を逸脱しない限り種々の改変を為すことができ、そして、本考案が該改変されたものに及ぶことは当然である。
【図面の簡単な説明】
【００３５】
【図１】本考案の水タンクが予定水量を貯えた時の説明図。
【図２】本考案の小量排水の時、排水口箇所の断面図。
【図３】本考案の中量排水の時、排水口箇所の断面図。
【図４】本考案の大量排水の時、排水口箇所の断面図。
【図５】本考案の排水過程中に、球体が水位の降下につれて排水口を閉鎖した説明図。
【図６】本考案の第二実施例、脱離設備は上方から球体制御の使用状態を啓示する説明図。
【図７】図６の脱離設備のＴ形杆を引き上げた時の正面図。
【符号の説明】
【００３６】
１          トイレット・ボウルの水タンク出水制御器
１２          フラッシュ／トリップ管
１３          入水口
１４          給水器
１５          水
１６          ガイド・パイプ
２０          水タンク
２２          上カバー
３０          閉鎖設備
３１          漏斗形体
３２，３２ａ，７４    球体
３３          排水口
３４          シール・リング
５０          給水制御器
５１          給水管
５２          制御バルブ
５３          マイクロ・スイッチ
５４          フロート
５５          上死点
７０，９０    脱離設備
７１          三方管
７２          操作杆
７３          上管
７５          下管７
７６          握持端
７７          水平管
７８          従動端
８１          カバー体
８２          漏れ防止パッキング
８３，８６，９５    孔
８４          押し杆
８５          定位ピース
８７，９７    スプリング
９１          胴形体
９２          外ねじ
９３          定位板
９４          頂カバー
９６          Ｔ形杆
９８          定位素子
９９          線
ｄ          間隔
ｗ          重量
ｂ１，ｂ２，ｂ３，ｂ４    浮力
ｆ１，ｆ２，ｆ３    引張り力
ｐ１，ｐ２，ｐ３    圧力
【図１】
0003139085.tif 000003
【図２】
0003139085.tif 000004
【図３】
0003139085.tif 000005
【図４】
0003139085.tif 000006
【図５】
0003139085.tif 000007
【図６】
0003139085.tif 000008
【図７】
0003139085.tif 000009